(57)【特許請求の範囲】
【請求項１】
遊技球が流下可能な遊技領域が設けられた遊技盤の裏面に、各種遊技部品が取り付けられた設置部材が着脱可能に配設されると共に、機体を構成する枠部材に形成された遊技盤保持部に前記遊技盤を着脱可能に取り付けて構成される遊技機における遊技盤の互換防止構造であって、
前記枠部材には、前記遊技盤保持部に、該枠部材の種別毎に固有の形状をなす識別部が形成され、
前記遊技盤には、前記遊技盤保持部における識別部の形成位置に対応して被識別部が形成された互換防止部材が配設されて、遊技盤保持部に形成された識別部と整合する形状をなす被識別部が形成された互換防止部材を配設した遊技盤だけが、該識別部および被識別部の整合下に、枠部材の該遊技盤保持部への装着が許容されるよう構成され、
前記設置部材には、前記互換防止部材と対向する部位に係合部が設けられ、
前記互換防止部材は、
前記遊技盤の裏面に係止されて該互換防止部材を該遊技盤に脱落不能に固定する固定手段と、
前記遊技盤との対向面側に設けられ、前記遊技盤に設けられた被位置決め部と嵌合することにより該遊技盤と当該互換防止部材とを位置決めする位置決め部と、
前記設置部材との対向面側に設けられて前記遊技盤の表裏方向で前記位置決め部と重なるように位置し、該設置部材の係合部と嵌合することにより該互換防止部材と該設置部材とを位置決めする被係合部とを備え、
前記位置決め部は、前記互換防止部材から遊技盤に向け突出した凸部または該遊技盤に向け開口した凹部であり、
前記被係合部は、前記位置決め部が凸部の場合に、前記表裏方向において該位置決め部と重なる位置において、互換防止部材から設置部材に向け開口した凹部であり、前記位置決め部が凹部の場合に、前記表裏方向において該位置決め部と重なる位置において、互換防止部材から設置部材に向け突出した凸部であり、
前記表裏方向で並ぶ前記位置決め部と被位置決め部との嵌合位置および前記係合部と被係合部との嵌合位置において、前記互換防止部材が前記遊技盤および設置部材により挟まれるよう構成された
ことを特徴とする遊技機における遊技盤の互換防止構造。
【発明の詳細な説明】
【技術分野】
【０００１】
本発明は、遊技球が流下可能な遊技領域が設けられた遊技盤の裏面に、各種遊技部品を取り付けた設置部材が着脱可能に配設されると共に、機体を構成する枠部材に前記遊技盤を着脱可能に取り付けて構成される遊技機における遊技盤の互換防止構造に関するものである。
【背景技術】
【０００２】
パチンコ機等に代表される遊技機は、機体を構成する枠部材(中枠)と、該中枠に設けられた遊技盤保持部に取り付けられる遊技盤とを備えている。前記遊技盤は、合板(ベニヤ)製や合成樹脂等から略矩形に形成された板状部材であり、その前面に遊技領域が設けられると共に、その裏面に各種遊技部品が取り付けられる設置部材が着脱可能に配設されている。前記遊技領域内には、該遊技領域内を流下するパチンコ球が入賞可能な始動入賞装置、特別入賞装置、球案内部材および釘等が配設されている。前記設置部材には、遊技盤に形成された開口を介して該遊技盤の前側から視認可能な図柄表示装置や、演出装置および発光装置等の電子部品等が取り付けられている。
【０００３】
このようなパチンコ機にあっては、前記遊技盤および中枠(これらに組み付けられる部品・装置を含む。以下同じ)が一定の組合わせで使用されることを前提として、パチンコ機全体が所定基準に適合するかにつき公的機関により検査され、この検査に合格したパチンコ機を遊技に供することが求められている。従って、遊技盤や中枠の個々が所定基準に適合するとしても、検査対象とは異なる組合わせの遊技盤と中枠とを組み付けたパチンコ機は全体として正式な検査を受けていないことから、このようなパチンコ機が遊技に供されるのは好ましくない。そこで、遊技盤を特定の中枠にのみ設置し得るよう構成する技術が提案されており、該技術として例えば特許文献１に開示されるものが知られている。すなわち、特許文献１に記載のパチンコ機では、遊技盤側に嵌合突部または嵌合凹部からなる被識別部を形成すると共に、中枠側には遊技盤に形成した被識別部と一致して嵌合可能な嵌合凹部または嵌合突部からなる識別部を形成して、遊技盤の被識別部と中枠の識別部とが一致する場合にのみに該遊技盤を該中枠に取り付け得るようにして、遊技盤の互換防止が図られるようになっている。
【先行技術文献】
【特許文献】
【０００４】
【特許文献１】特開平５−１８４７１７号公報
【発明の概要】
【発明が解決しようとする課題】
【０００５】
ところで、特許文献１に開示の遊技機では、遊技盤や中枠に被識別部または識別部を直接形成する形態となっており、複数種の遊技機がある場合には各遊技機毎に識別部および被識別部の形態(形状)が異なる専用の遊技盤および中枠を設計、製作することとなり、製造コストが嵩む問題がある。また、中枠の基本構成をそのままに外観上のデザインを若干変更する等の所謂マイナーチェンジの場合であっても、マイナーチェンジ前の遊技盤とマイナーチェンジ後の遊技盤との互換性をなくすためには、遊技盤の被識別部および中枠の識別部の形態を各々変更する必要があり、遊技盤および中枠を新たに設計、製作することとなって製造コストが嵩んでしまう。
【０００６】
そこで、遊技盤の主要部分を各機種毎に共通とすると共に、遊技盤とは別体に構成されて前記被識別部が形成された互換防止部材を別途準備して、該互換防止部材を遊技盤および設置部材で挟んで固定保持することが提案される。しかしながら、例えば遊技機が遊技店に納入された後に、設置部材に配設した前記遊技部品のメンテナンスや修理等を実施するに際して該設置部材を遊技盤の裏面から取外すと、互換防止部材に対する挟持が解除されて、該互換防止部材が遊技盤から脱落する不都合が発生してしまう。しかも、作業者が互換防止部材の脱落に気付かない等、互換防止部材の再取付けを失念した場合には、当該遊技盤を別の遊技機の中枠に組み付けることが可能となり、互換防止が適切に図られない問題が発生する。
【０００７】
そこで本発明は、前述した課題を解決するために案出されたものであって、遊技盤の裏面に配設した設置部材を該遊技盤から取外しても、遊技盤に取り付けた互換防止部材が該遊技盤から脱落することを防止した遊技機における遊技盤の互換防止構造を提供することを目的とする。
【０００８】
前記課題を解決するために、本願の請求項１に記載の発明では、
遊技球が流下可能な遊技領域が設けられた遊技盤(D)の裏面に、各種遊技部品が取り付けられた設置部材(40)が着脱可能に配設されると共に、機体を構成する枠部材(B)に形成された遊技盤保持部(14)に前記遊技盤(D)を着脱可能に取り付けて構成される遊技機における遊技盤の互換防止構造であって、
前記枠部材(B)には、前記遊技盤保持部(14)に、該枠部材(B)の種別毎に固有の形状をなす識別部(55)が形成され、
前記遊技盤(D)には、前記遊技盤保持部(14)における識別部(55)の形成位置に対応して被識別部(79)が形成された互換防止部材(70)が配設されて、遊技盤保持部(14)に形成された識別部(55)と整合する形状をなす被識別部(79)が形成された互換防止部材(70)を配設した遊技盤(D)だけが、該識別部(55)および被識別部(79)の整合下に、枠部材(B)の該遊技盤保持部(14)への装着が許容されるよう構成され、
前記設置部材(40)には、前記互換防止部材(70)と対向する部位に係合部(55)が設けられ、
前記互換防止部材(70)は、
前記遊技盤(D)の裏面に係止されて該互換防止部材(70)を該遊技盤(D)に脱落不能に固定する固定手段(80)と、
前記遊技盤(D)との対向面側に設けられ、前記遊技盤(D)に設けられた被位置決め部(63)と嵌合することにより該遊技盤(D)と当該互換防止部材(70)とを位置決めする位置決め部(77)と、
前記設置部材(40)との対向面側に設けられて前記遊技盤(D)の表裏方向で前記位置決め部(77)と重なるように位置し、該設置部材(40)の係合部(55)と嵌合することにより該互換防止部材(70)と該設置部材(40)とを位置決めする被係合部(78)とを備え、
前記位置決め部(77)は、前記互換防止部材(70)から遊技盤(D)に向け突出した凸部または該遊技盤に向け開口した凹部であり、
前記被係合部(78)は、前記位置決め部(77)が凸部の場合に、前記表裏方向において該位置決め部(77)と重なる位置において、互換防止部材(70)から設置部材(40)に向け開口した凹部であり、前記位置決め部(77)が凹部の場合に、前記表裏方向において該位置決め部(77)と重なる位置において、互換防止部材(70)から設置部材(40)に向け突出した凸部であり、
前記表裏方向で並ぶ前記位置決め部(77)と被位置決め部(63)との嵌合位置および前記係合部(55)と被係合部(78)との嵌合位置において、前記互換防止部材(70)が前記遊技盤(D)および設置部材(40)により挟まれるよう構成されたことを要旨とする。
【０００９】
従って、請求項１に係る発明によれば、互換防止部材が固定手段により遊技盤に固定されているので、遊技盤と該遊技盤の裏面に配設した設置部材とで互換防止部材が挟まれる形態であっても、設置部材を遊技盤から取外した際に互換防止部材が遊技盤から脱落することを防止し得る。また、互換防止部材が遊技盤から脱落することがないから互換防止が適切に図られ、当該遊技盤が別の遊技機の枠部材における遊技盤保持部に取り付けられる等の不都合が発生しない。
そして、互換防止部材に設けた位置決め部を、遊技盤の装着部に形成された被位置決め部に嵌合させることで、互換防止部材を遊技盤に正確に位置決めして固定することができる。
また、遊技盤の裏面に設置部材を配設する際に、固定手段により遊技盤の装着部に固定した互換防止部材に設けた被係合部と設置部材の延出部に設けた係合部とが嵌合することで、遊技盤に対して設置部材を適切な位置に配設することができる。
【発明の効果】
【００１５】
本願発明に係る遊技機における遊技盤の互換防止構造によれば、互換防止部材が固定手段により遊技盤に固定されているので、遊技盤の裏面に配設した設置部材を該遊技盤から取外しても、遊技盤に取り付けた互換防止部材が該遊技盤から脱落することが防止される。
【図面の簡単な説明】
【００１６】
【図１】実施例の互換防止構造を備えた遊技盤が中枠の遊技盤保持部に装着された状態を、遊技盤に配設された部材を省略して示す正面図である。
【図２】実施例のパチンコ機を、前枠を開放した状態で示す斜視図であって、遊技盤の遊技領域に配設された部材を省略してある。
【図３】実施例に係る中枠を示す斜視図である。
【図４】図３のＺ２部拡大図である。
【図５】図柄表示装置を取り付けた遊技盤を前側から見た斜視図である。
【図６】遊技盤に設けた装着部に固定した互換防止部材を、遊技盤および該遊技盤の裏側に配設した設置部材とで挟んで保持する状態を示す斜視図である。
【図７】設置部材および互換防止部材を取り外した遊技盤を裏面側から見た斜視図である。
【図８】設置部材を前側から見た斜視図である。
【図９】(ａ)は、実施例に係る遊技盤の互換防止構造に実施される互換防止部材の正面図であり、(ｂ)は右側面図であり、(ｃ)は背面図である。
【図１０】図７のＺ４部を拡大して示す説明図であって、(ａ)は、遊技盤に設けた装着部に互換防止部材を装着する状態を示し、(ｂ)は、装着部に互換防止部材を装着した状態を示している。
【図１１】図６のＺ３部拡大図である。
【図１２】図１１のXII−XII線断面図である。
【図１３】図１のＺ１部拡大図であって、中枠に設けた識別部と遊技盤に装着した互換防止部材の被識別部とが整合した状態を示している。
【図１４】図１〜図１３に示すパチンコ機とは種類が異なるパチンコ機における中枠に設けた識別部を示す斜視図である。
【図１５】(ａ)は、図１４に示す種別のパチンコ機における中枠に取り付けられる遊技盤に装着される互換防止部材の正面図であり、(ｂ)は右側面図であり、(ｃ)は背面図である。
【図１６】図１〜図１３に示すパチンコ機とは種類が異なるパチンコ機における遊技盤に互換防止部材を装着した状態を示す部分斜視図である。
【図１７】図１４に示す中枠の遊技盤保持部に、図１５に示す互換防止部材を装着した遊技盤を装着した状態を示す部分正面図である。
【発明を実施するための形態】
【００１７】
次に、本発明に係る遊技機における遊技盤の互換防止構造につき、好適な実施例を挙げて、添付図面を参照しながら、以下詳細に説明する。実施例では、遊技機として、パチンコ球を遊技媒体として使用する一般的なパチンコ機を例にして説明する。なお、以下の説明において、「前」、「後」、「左」、「右」とは、外枠Ａに対して中枠Ｂを閉じた状態において、パチンコ機Ｐを正面から見た状態を基準として指称するものとする。
【実施例】
【００１８】
実施例に係るパチンコ機Ｐの概略構成について、図１〜図６を参照して説明する。パチンコ機Ｐは、図２に示すように、遊技店に設けられた「島」とも称される設置枠台(図示せず)に固定される外枠Ａと、該外枠Ａに対して着脱および開閉可能に枢支された中枠(枠部材)Ｂと、該中枠Ｂに着脱交換可能に取り付けられて所要の遊技領域３０が画成される遊技盤Ｄと、ヒンジ機構を介して中枠Ｂの前面側に着脱および開閉可能に枢支され、中枠Ｂに配設した遊技盤Ｄを透視保護する透明板(図示せず)が配設される前枠Ｃとを備えている。前記前枠Ｃには、前記透明板が配設される部位の下方位置にパチンコ球を貯留可能な上球皿Ｅが組み付けられており、前枠Ｃの開閉に合わせて該上球皿Ｅが一体的に開閉するようになっている。また、前記中枠Ｂの前側における前記前枠Ｃの下方には、パチンコ球を貯留可能な下球皿Ｆを形成した球皿部材２２が着脱および開閉可能に組み付けられている(図１)。そして、前記中枠Ｂにおける球皿部材２２の右方位置には、操作ハンドルＧ１が設けられており、該操作ハンドルＧ１を操作することで中枠Ｂに配設した打球発射装置Ｇ２が作動され、上球皿Ｅに貯留されたパチンコ球を遊技盤Ｄの遊技領域３０に向けて打ち出すよう構成されている。
【００１９】
（中枠）
前記中枠Ｂは、図１〜図３に示すように、上縁をなす上枠部材１０と、下縁をなし、スピーカ２３、操作ハンドルＧ１および打球発射装置Ｇ２等が設置された下枠部材１１と、左側縁をなす左枠部材１２と、右側縁をなす右枠部材１３とから構成されている。中枠Ｂは、上下左右の枠部材１０,１１,１２,１３を組み付けた際に、全体が外枠Ａの開口に整合する矩形枠状に形成される。そして、上下左右の枠部材１０,１１,１２,１３を組み付けた際に前後に開口する開口部分に、遊技盤Ｄを中枠Ｂの前側から着脱可能に設置されており、該開口部分が遊技盤保持部１４として機能する。また、下枠部材１１の上面には、遊技盤保持部１４に設置される遊技盤Ｄを支持する台座部が形成されている。そして中枠Ｂは、外枠Ａの左上端部および左下端部に設けられた支軸(図示せず)を介して外枠Ａに枢支され、該中枠Ｂは外枠Ａに対して左側端部を中心として開閉し得るようになっている。なお中枠Ｂは、前記上下左右の枠部材１０,１１,１２,１３が一体成形されたものであってもよい。
【００２０】
図１〜図３に示すように、左枠部材１２の開口内側(遊技盤保持部１４側)には、上下に離間する位置に、遊技盤Ｄの左側端部を回転および着脱可能に保持する回転保持具１５,１５が複数(実施例では２つ)設けられている。また、上下の枠部材１０,１１における右端部(右枠部材１３側)には、固定位置および固定解除位置に回転可能な固定具１６,１６が夫々設けられており、該固定具１６,１６により遊技盤Ｄの右側上下端部を中枠Ｂに固定し得るようになっている。従って遊技盤Ｄは、遊技盤保持部１４に対して前側から臨ませて、先ず該遊技盤Ｄの左端部を前記回転保持具１５,１５で保持させ、次いで該遊技盤Ｄの右端部の上下を前記固定具１６,１６で保持することで、該遊技盤保持部１４に収容保持されるようになっている。一方、遊技盤保持部１４から遊技盤Ｄを取り出すに際しては、中枠Ｂの前側から前記固定具１６,１６を操作して遊技盤Ｄの右端部の保持を解除した後に、該遊技盤Ｄを前側に取り出して回転保持具１５,１５による保持を解除することで、該遊技盤Ｄの取り出しが許容される。
【００２１】
図２および図３に示すように、前記上枠部材１０の裏側には、設置枠台等に設けられた外部球供給設備(図示せず)から供給されるパチンコ球を貯留する球タンク１７が配設され、前記下枠部材１１の裏側には、上下の球皿Ｅ,Ｆに連通する球供給路および設置枠台に設けた球回収樋に連通する球排出路が夫々形成されたセット部材１８が配設されている。また、中枠Ｂの裏側における左枠部材１２側に偏った位置には、前記球タンク１７とセット部材１８とを連通接続する球通路ユニット１９が上下に架設され、該球通路ユニット１９に配設された球払出し装置２０の駆動により球タンク１７に供給されたパチンコ球を上下の球皿Ｅ,Ｆへ給出するよう構成されている。前記球タンク１７は、遊技盤保持部１４に配設された遊技盤Ｄの裏側上部に重なるよう形成されており、遊技盤Ｄの上下寸法を最大限大きくし得るようになっている(図２参照)。またセット部材１８には、パチンコ機Ｐの電源制御を行う電源装置を始めとした各種の制御装置５２が配設されている。なお、図３の符号２１は、中枠Ｂの右枠部材１３に枢支されると共に球通路ユニット１９に係止保持されて、図柄表示装置Ｈを含む遊技盤Ｄの裏側を略全体的に覆うカバー部材である。
【００２２】
（前枠）
前記前枠Ｃは、全体が合成樹脂成形されて、図２に示すように、遊技盤Ｄの遊技領域３０と同等の開口サイズの開口部２５が形成されると共に、該開口部２５に臨むように透明板が組み付けられる。前枠Ｃは、前記中枠Ｂの左側部に配置されたヒンジ機構を介して該中枠Ｂに対して開閉自在に枢支されると共に、中枠Ｂに閉成した際に遊技盤保持部１４に設置した遊技盤Ｄの遊技領域３０を開口部２５を介して前面側から視認し得るよう構成される。そして、前記中枠Ｂに対して前枠Ｃを閉成した状態では、該前枠Ｃの下部(上球皿Ｅの形成部位に対応する位置)が中枠Ｂの下枠部材１１に対向すると共に、前記開口部２５の下縁が下枠部材１１より上方に位置するよう構成されて、前枠Ｃの下部位置が前記遊技盤保持部１４に収容した遊技盤Ｄと前後の関係で重なるようになっている。なお前枠Ｃには、ＬＥＤ等の発光体を実装した発光体基板と、該発光体基板から導出した中継用配線が接続された中継端子板(何れも図示せず)とを備えた照明装置が配設されている。
【００２３】
(遊技盤)
前記遊技盤Ｄは、図１、図２、図５、図６および図７に示すように、ベニヤ合板や合成樹脂を材質として前記中枠Ｂに設けた遊技盤保持部１４の内縁形状に整合する外縁形成された略矩形の平板状部材からなり、その表側に遊技領域３０が設けられると共に後側に設置部材４０が配設されている。遊技盤Ｄの表側には、左下部から右上部にかけて円弧状に延在する外レール３１と、この外レール３１の内側に中央下部から左上部にかけて並べて配置された内レール３２と、外レール３１の右上部から内レール３２の下部までの間に右方へ凹む湾曲形状に構成された盤面飾り部材３３等が配設されており、両レール３１,３２および盤面飾り部材３３で囲まれた内側が前記遊技領域３０として構成されている。これにより、前記打球発射装置Ｇから発射されたパチンコ球は、外レール３１と内レール３２との間を通って遊技領域３０の左上部に打ち出され、該遊技領域３０内を流下する。但し、前記内レール３２の延在長を大きく設定して、前記外レール３１および該内レール３２で遊技領域３０を形成するようにしてもよい。
【００２４】
前記遊技盤Ｄには、図５に示すように、中央に大きな貫通口２９が形成されて、前後に開口する表示窓口３４が形成された枠状装飾部材３９が該貫通口２９の開口縁に配設されている。そして、設置部材４０に着脱可能に配設された前記図柄表示装置Ｈにおける図柄変動演出やその他表示演出が行われる表示部Ｈ１が、枠状装飾部材３９の表示窓口３４を介して前側から視認可能に構成されている。また遊技盤Ｄには、前記表示窓口３４の下側に開設され、始動入賞装置３７および特別入賞装置３８が配設される入賞装置貫通口３５や、その他各種入賞装置および設置部材４０に配設される表示器等に合わせた貫通口３６が貫通形成されている。なお、遊技盤Ｄの前面において遊技領域３０内に臨む部分には、多数の遊技釘や風車等の各種遊技部品が配設されている。これにより遊技盤Ｄは、打球発射装置Ｇによって遊技領域３０に打ち出されたパチンコ球を、遊技釘で誘導したり風車で振り分けたりして、該遊技領域３０を流下するパチンコ球の動きを不規則に変化するようになっている。
【００２５】
(設置部材)
前記設置部材４０は、図６および図８に示すように、前方に開放するバケット状に形成された合成樹脂製の部材であって、前側の開放端を遊技盤Ｄの後面に突き合わせて該遊技盤Ｄに取り付けられている。設置部材４０は、遊技盤Ｄの後面を構成する設置板部４１と、この設置板部４１の周縁から前方へ延出形成された周板部４２と、この周板部４２の前端から外方に向けて延出形成された縁板部４３等を備え、これら設置板部４１、周板部４２および縁板部４３は一体的に形成されている。また設置部材４０は、周板部４２で囲われる前部開口が、円形の遊技領域３０の上下・左右寸法と同程度の上下・左右寸法とした矩形状に形成されると共に、縁板部４３の外周縁が、遊技盤Ｄの外周縁におおよそ合わせた形状および大きさで形成されている。このような設置部材４０は、縁板部４３を遊技盤Ｄに当接して該遊技盤Ｄの後面にネジ止め固定され、設置板部４１が遊技盤Ｄの後面から離間配置されて、設置板部４１と遊技盤Ｄとの間に、装飾部材や可動演出装置等を配設可能な空間が画成される。なお、周板部４２の左下角部の外側には、後述する互換防止部材７０に後側から相対する延出部４４が、遊技盤Ｄの裏面に沿う向きに延出するように形成されている。
【００２６】
また、前記設置部材４０には、図５、図６および図８に示すように、設置板部４１に四角形状の表示開口４５が前後に貫通形成されており、図柄表示装置Ｈが、表示部Ｈ１を表示開口４５に臨ませた状態で設置板部４１の後側に着脱可能に取り付けられる(図６では、図柄表示装置Ｈは図示省略してある)。また、設置板部４１における図柄表示装置Ｈの取付け領域の下側後面には、３つの基板設置部４９が左右に離間して設けられ、各基板設置部４９には各々中継基板５０が設置されている。前記中継基板５０は、設置部材４０の前側に設けられる前記第１〜第３の可動演出装置４６,４７,４８や、発光演出装置および照明装置等の演出側電気機器と、前記セット部材１８の後側に取り付けられる前記制御装置５２等の制御側電気機器とを電気的に中継するものである。
【００２７】
更に、前記設置部材４０は、図５、図６および図８に示すように、設置板部４１の前側に、遊技盤Ｄを演出または装飾する装置や部材が設置されている。すなわち、設置板部４１の表示開口４５の上側に延在する上辺部４１Ａの前面には第１可動演出装置４６が設置され、設置板部４１における表示開口４５の右側に延在する右辺部４１Ｂの前面には第２可動演出装置４７が設置されると共に、設置板部４１における表示開口４５の左側に延在する左辺部４１Ｃの前面には第３可動演出装置４８が設置されている。第１可動演出装置４６は、前記表示窓口３４の上部に臨んで図柄表示装置Ｈの前側上方に位置し、該図柄表示装置Ｈの表示部Ｈ１での演出に連動して該表示部Ｈ１の前側へ可動部材を昇降させ得るようになっている。第２可動演出装置４７は、前記表示開口４５の右部に位置して、図柄表示装置Ｈの表示部Ｈ１での演出に連動して該表示部Ｈ１の前側へ可動部材を進退させ得るようになっていると共に、第３可動演出装置４８は、前記表示開口４５の左部に位置して、図柄表示装置Ｈの表示部Ｈ１での演出に連動して該表示部Ｈ１の前側へ可動部材を進退させ得るようになっている。
【００２８】
次に、実施例に係る遊技盤の互換防止構造について説明する。ここでは、図３および図４に示す中枠Ｂ(Ｂ１)および該中枠Ｂ１に装着される遊技盤Ｄ(Ｄ１)を備えるパチンコ機を「第１のパチンコ機Ｐ１」とし、図１４に示す中枠Ｂ(Ｂ２)および該中枠Ｂ２に装着される遊技盤Ｄ(Ｄ２)を備えるパチンコ機を「第２のパチンコ機Ｐ２」として、２種類のパチンコ機Ｐ１,Ｐ２における遊技盤Ｄ１,Ｄ２の互換防止につき例示する。なお、中枠Ｂ１に組み合わさせる遊技盤Ｄ１は１種類でなくてもよく、該中枠Ｂ１に組合わせ可能な複数種類の遊技盤Ｄ１を設けることが可能である。同様に、中枠Ｂ２に組み合わさせる遊技盤Ｄ２も１種類でなくてもよく、該中枠Ｂ２に組合わせ可能な複数種類の遊技盤Ｄ２を設けることが可能である。
【００２９】
実施例に係る遊技盤の互換防止構造は、図１、図３、図４および図１４に示すように、中枠Ｂ(Ｂ１,Ｂ２)の遊技盤保持部１４に設けられ、当該中枠Ｂ(Ｂ１,Ｂ２)の種別毎に固有の形状をなす識別部５５(５５Ａ,５５Ｂ)と、遊技盤Ｄ(Ｄ１,Ｄ２)において前記遊技盤保持部１４に設けた識別部５５(５５Ａ,５５Ｂ)に対応して設けられ、該識別部５５(５５Ａ,５５Ｂ)に整合する形状をなす被識別部７９(７９Ａ,７９Ｂ)とを有している。すなわち、実施例の互換防止構造は、適合した組合わせの中枠Ｂおよび遊技盤Ｄにおいては、前記識別部５５と被識別部７９とが整合するようになっていて、該中枠Ｂの遊技盤保持部１４に対する該遊技盤Ｄの装着を許容する。しかし、適合しない組合わせの中枠Ｂおよび遊技盤Ｄにおいては、識別部５５と被識別部７９とが整合しないようにして、該中枠Ｂの遊技盤保持部１４に対する該遊技盤Ｄの装着を不能とする。ここで、本願が意味する「種別」とは、例えば(１)公的機関による検査に合格して所定基準に適合した中枠Ｂと遊技盤Ｄとの組合わせで区別される種類、(２)パチンコ機Ｐのメーカにおいて独自に設定された基準に適合した中枠Ｂと遊技盤Ｄとの組合わせで区別される種類、(３)パチンコ機Ｐの各機種毎の中枠Ｂと遊技盤Ｄとの組合わせで区別される種類、等である。
【００３０】
そして、実施例の遊技盤の互換防止構造では、遊技盤Ｄに設けられた被識別部７９が、該遊技盤Ｄをなすベニヤ合板または合成樹脂製の平板状部材とは別部材として構成されて該平板状部材に装着して固定される互換防止部材７０に形成されている。すなわち、前記中枠Ｂの遊技盤保持部１４に形成された前記識別部５５と整合する形状をなす被識別部７９が形成された互換防止部材７０を装着した遊技盤Ｄだけが、該中枠Ｂに適合する組合わせの遊技盤として、該識別部５５および被識別部７９の整合下に遊技盤保持部１４への装着が許容されるよう構成されている。
【００３１】
(識別部)
図１、図３および図４に示すように、中枠Ｂの遊技盤保持部１４における左下隅部の後側には、前側から見て縦長矩形状をなす識別部５５が、該遊技盤保持部１４の開口中心側へ突出した状態で設けられている。この識別部５５は、突片状をなして中枠Ｂの成形時に該中枠Ｂに一体的に形成されたものであり、遊技盤保持部１４に対する遊技盤Ｄの装着側である前側から見た形状が、種類毎に異なった形状、形態に設定されている。なお、実施例の遊技盤の互換防止構造では、前述したように、第１のパチンコ機Ｐ１および第２のパチンコ機Ｐ２毎に異なる中枠Ｂ１,Ｂ２があり、各中枠Ｂ１,Ｂ２は各々形状が異なる識別部５５Ａ,５５Ｂが設けられている。すなわち、図３および図４に示す第１のパチンコ機Ｐ１における中枠Ｂ１の識別部５５Ａは、前側から見た形状が、縦長の長方形に突出した形状とされている。また、図１４に示す第２のパチンコ機Ｐ２における中枠Ｂ２の識別部５５Ｂは、第１のパチンコ機Ｐ１における中枠Ｂの識別部５５Ａと比較すると、縦寸法が小さく横寸法が大きい略正方形に突出した形状とされている。
【００３２】
(装着部)
図６、図７、図１０、図１１および図１６に示すように、各遊技盤Ｄ１,Ｄ２の左下角部には、前記互換防止部材７０を後側からセットして装着する装着部６０が形成されている。この装着部６０は、遊技盤Ｄ１,Ｄ２の左下角部に隣接した裏側部分を、遊技盤Ｄ１,Ｄ２の裏面から該遊技盤Ｄ１,Ｄ２の厚みの１／２程度に切り欠いて段差状に形成した部位であって、遊技盤Ｄ１,Ｄ２の左端側および下端側へ夫々開放している。そして、段差をもって形成された装着部６０の輪郭縁には、図７および図１０に示すように、互換防止部材７０に設けられた位置決め端部７６と整合する位置決め縁部６２が、逆Ｌ字状に延在形成されている。また、装着部６０における後方を指向する装着面６１には、後方に開口する位置決め凹部(被位置決め部)６３が、上下に長くかつ上縁および下縁が半円状をなすように形成されており、互換防止部材７０に前方へ凸となる形状に設けられた位置決め凸部(位置決め部)７７が後方から嵌合可能となっている。すなわち、位置決め凹部６３と位置決め凸部７７とは、前記位置決め縁部６２と位置決め端部７６とが対向して整合した状態において、前後に対向して整合するように形成されている。
【００３３】
また、図７および図１０に示すように、遊技盤Ｄ１,Ｄ２の裏面において、前記装着部６０の上方には、ネジ締結孔６４が形成されている。このネジ締結孔６４には、互換防止部材７０に設けた固定手段８０を構成する固定板部８１に貫通して、該固定板部８１に係止される固定ネジ(固定部材)８２がねじ込まれるようになっている。
【００３４】
(互換防止部材)
実施例の遊技盤の互換防止構造では、第１のパチンコ機Ｐ１における中枠Ｂ１と組み合わされる遊技盤Ｄ１および第２のパチンコ機Ｐ２における中枠Ｂ２と組み合わされる遊技盤Ｄ２があるので、遊技盤Ｄ１に装着される互換防止部材７０と遊技盤Ｄ２に装着される互換防止部材７０とを備えている。遊技盤Ｄ１に装着される互換防止部材７０は、図９に示すように、中枠Ｂ１の遊技盤保持部１４に設けられた識別部５５Ａ(図４参照)に整合する被識別部７９Ａが形成され、遊技盤Ｄ２に装着される互換防止部材７０は、図１５に示すように、中枠Ｂ２の遊技盤保持部１４に設けられた識別部５５Ｂ(図１４参照)に整合する被識別部７９Ｂが形成されている。
【００３５】
各互換防止部材７０は、例えば合成樹脂製の一体成形されたブロック部材であって、図９、図１０および図１５に示すように、前記位置決め凹部６３を覆う形状に形成された係合部７３と、該係合部７３の上部から左方へ水平に延在する固定部７４とを有している。これら係合部７３および固定部７４は、前記装着部６０の装着面６１から後方へ離間して遊技盤Ｄの裏面と面一となる平坦状の壁部７１と、この壁部７１の外縁全周の全周に亘って延在して該装着面６１に向けて延出する周縁リブ７２とで形成されている。すなわち互換防止部材７０は、前記壁部７１および前記周縁リブ７２が同じ厚みに形成され、遊技盤Ｄの裏面と前記装着部６０との段差と同じ厚み寸法で形成されている。なお、係合部７３における壁部７１の裏面には、左右水平に延在すると共に装着面６１に向けて延出する補強リブ７５が設けられている。
【００３６】
図９〜図１１および図１５に示すように、前記各互換防止部材７０において、周縁リブ７２における係合部７３と固定部７４との屈曲外側に位置する部分は、遊技盤Ｄの装着部６０に設けられた前記位置決め縁部６２に対して整合する形状に形成されており、前記位置決め端部７６として機能する。すなわち位置決め端部７６は、係合部７３の右端面から固定部７４の上端面に亘って倒立Ｌ形に延在形成されており、該位置決め端部７６を前記位置決め縁部６２に整合させることで、装着部６０に対して互換防止部材７０の正確な位置決めが図られる。遊技盤Ｄ１に装着される互換防止部材７０の位置決め端部７６および遊技盤Ｄ２に装着される互換防止部材７０の位置決め端部７６は、同じ形状に形成されている。また、遊技盤Ｄ１の装着部６０に設けた位置決め縁部６２および遊技盤Ｄ２の装着部６０に設けた位置決め縁部６２も、同じ形状に形成されている。
【００３７】
また、図９、図１０および図１５に示すように、前記各互換防止部材７０において、係合部７３の上部には、壁部７１から装着部６０の装着面６１側(前方)へ突出する前記位置決め凸部７７が形成されている。この位置決め凸部７７は、壁部７１が装着面６１側へ膨出した形態であって、該壁部７１と同じ厚みで周縁リブ７２の前端よりも装着面６１側へ突出しており、上部が上方へ湾曲すると共に下部が下方へ湾曲し、かつ突出した前部が前方へ湾曲した曲面状に形成されている。そして位置決め凸部７７は、前記位置決め端部７６が前記位置決め縁部６２とが整合した状態において、装着部６０の装着面６１に設けた前記位置決め凹部６３に対して、後方から整合すると共に突入して嵌合する位置および形状に設定されている(図１２参照)。また、位置決め凸部７７が位置決め凹部６３に嵌合した状態では、互換防止部材７０が装着部６０に仮止めされた状態となり、遊技盤Ｄを垂直に立てても該互換防止部材７０は該装着部６０から容易に脱落しない。しかも位置決め凸部７７は、突出した前部が曲面状に形成されているので、位置決め凹部６３に対して嵌合し易くなっている。遊技盤Ｄ１に装着される互換防止部材７０の位置決め凸部７７および遊技盤Ｄ２に装着される互換防止部材７０の位置決め凸部７７は、各々の係合部７３の同じ位置において同じ形状に形成されている。また、遊技盤Ｄ１の装着部６０に設けた位置決め凹部６３および遊技盤Ｄ２の装着部６０に設けた位置決め凹部６３も、各装着部６０の同じ位置において同じ形状に形成されている。
【００３８】
更に、図９〜図１３に示すように、遊技盤Ｄ１に装着される前記互換防止部材７０は、周縁リブ７２における係合部７３と固定部７４との屈曲内側に位置する部分が、中枠Ｂ１の遊技盤保持部１４に設けた前記識別部５５Ａに対して整合する形状となっており、前記被識別部７９Ａとして機能する。すなわち、中枠Ｂ１の識別部５５Ａは、縦長の長方形に突出した形状とされているので、図９に示す互換防止部材７０の被識別部７９Ａは、縦長の長方形に切り欠かれて該識別部５５Ａに整合する凹形状とされている。また、図１５に示すように、遊技盤Ｄ２に装着される前記互換防止部材７０は、周縁リブ７２における係合部７３と固定部７４との屈曲内側に位置する部分が、中枠Ｂ２の遊技盤保持部１４に設けた前記識別部５５Ｂに対して整合する形状に形成されて、前記被識別部７９Ｂとして機能する。すなわち、中枠Ｂ２の識別部５５Ｂは、中枠Ｂ１の識別部５５Ａと比較すると、縦寸法が小さく横寸法が大きい略正方形に突出した形状とされているので、図１５に示す互換防止部材７０の被識別部７９Ｂは、略正方形に切り欠かれて該識別部５５Ｂに整合する凹形状とされている。
【００３９】
また更に、図９、図１０、図１５および図１６に示すように、前記各互換防止部材７０において、固定部７４には、遊技盤Ｄの裏面に係止されて、該互換防止部材７０を該遊技盤Ｄに脱落不能に固定する固定手段８０を備えている。この固定手段８０は、設置部材４０の前記延出部４４から外れた位置で遊技盤Ｄ１,Ｄ２の裏面に沿って上方へ延出する固定板部８１と、遊技盤Ｄ１,Ｄ２の裏面に設けた前記ネジ締結孔６４にねじ込んで係止され、固定板部８１を該遊技盤Ｄ１,Ｄ２の裏面に固定する固定部材としての固定ネジ８２とを備えている。前記固定板部８１には、前記固定ネジ８２の軸部の通過を許容すると共に頭部の通過を規制する開口径のネジ挿通孔８３が形成されている。このネジ挿通孔８３は、互換防止部材７０を遊技盤Ｄ１,Ｄ２の装着部６０に位置決めセットした際に、前記ネジ締結孔６４に後方から整合するようになっている。従って、互換防止部材７０を装着部６０にセットした状態で、ネジ挿通孔８３に後側から挿通させた該固定ネジ８２を遊技盤Ｄのネジ締結孔６４にねじ込んで締結することで、該互換防止部材７０が遊技盤Ｄ１,Ｄ２に脱落不能に固定される。
【００４０】
また更に、図９および図１０に示すように、前記互換防止部材７０において、係合部７３の上部には、後方へ開口した係合凹部(被係合部)７８形成されている。この係合凹部７８は、前記設置部材４０の左下角部に設けた前記延出部４４から前方へ突出形成された係合凸部(係合部)５１が、後方から整合して係脱可能に係合するようになっている。すなわち、前記固定手段８０により互換防止部材７０を前記装着部６０に固定した状態で、前記設置部材４０を前記遊技盤Ｄ１,Ｄ２の裏面に配設する際に、係合凹部７８に係合凸部５１を係合することで遊技盤Ｄ１,Ｄ２に対する設置部材４０の位置決めが図られるようになっている。なお、前記係合凹部７８は、前記位置決め凸部７７が壁部７１から前方へ膨出するように形成したことに伴って、該位置決め凸部７７の後側において後方へ開口した部分であり、これら係合凹部７８と位置決め凸部７７とは前後方向において同じ位置に重なって設けられている。そして、設置部材４０を遊技盤Ｄ１,Ｄ２の裏面に配設した状態では、該設置部材４０の延出部４４が遊技盤Ｄ１,Ｄ２に固定した互換防止部材７０の壁部７１に対して後側から部分的に当接するようになるから、該互換防止部材７０は遊技盤Ｄ１,Ｄ２および設置部材４０により前後から挟まれた状態に保持される。
【００４１】
前記２種類の各互換防止部材７０は、前記位置決め端部７６、位置決め凹部６３、係合凹部７８、固定手段８０の固定板部８１および固定ネジ８２の構成は同じであり、被識別部７９(７９Ａ,７９Ｂ)だけが異なっている。このため各互換防止部材７０は、夫々が容易に識別されて区別されるように、互いに異なる色に着色されていると共に、前記遊技盤Ｄとも異なる色に着色されている。なお、互換防止部材７０に対する着色は、該互換防止部材７０の成形材料を着色したり、該互換防止部材７０の成形後に塗装や印刷等により着色する。
【００４２】
(実施例の作用)
次に、前述のように構成された実施例の遊技盤の互換防止構造の作用につき説明する。
【００４３】
第１のパチンコ機Ｐ１は、該第１のパチンコ機Ｐ１を構成する中枠Ｂ１および遊技盤Ｄ１において、図４に示す形状の識別部５５Ａが該中枠Ｂ１の遊技盤保持部１４に設けられると共に、図４に示す識別部５５Ａと整合する形状の被識別部７９Ａを設けた図９に示す互換防止部材７０を、該遊技盤Ｄ１の装着部６０に前記固定手段８０を利用して固定する。一方、第２のパチンコ機Ｐ２は、該第２のパチンコ機Ｐ２を構成する中枠Ｂ２および遊技盤Ｄ２において、図１４に示す形状の識別部５５Ｂが該中枠Ｂ２の遊技盤保持部１４に設けられると共に、図１４に示す識別部５５Ｂと整合する形状の被識別部７９Ｂを設けた図１５に示す互換防止部材７０を、該遊技盤Ｄ２の装着部６０に固定手段８０を利用して固定する。
【００４４】
ここで、第１のパチンコ機Ｐ１において、遊技盤Ｄ１の装着部６０に対して互換防止部材７０を装着する際には、図１０に示すように、該装着部６０の位置決め縁部６２に対して該互換防止部材７０の位置決め端部７６を整合させると共に、該装着部６０の位置決め凹部６３に該互換防止部材７０の位置決め凸部７７を整合させることで、当該互換防止部材７０を該装着部６０に適切に位置決めした状態でセットし得る。これにより、互換防止部材７０の固定手段８０における固定板部８１が遊技盤Ｄの裏面に当接すると共に、該固定板部８１に設けたネジ挿通孔８３が遊技盤Ｄ１に設けたネジ締結孔６４に整合するので、該ネジ挿通孔８３に挿通した固定ネジ８２をネジ締結孔６４にねじ込んで締結する。従って互換防止部材７０は、遊技盤Ｄ１の裏面に、固定手段８０により脱落不能に装着される。また、第２のパチンコ機Ｐ２において、遊技盤Ｄ２の装着部６０に対して互換防止部材７０を装着する際も同様である。
【００４５】
遊技盤Ｄ１に設けられる装着部６０および遊技盤Ｄ２に設けられる装着部６０は、前述したように、各々の位置決め縁部６２および位置決め凹部６３が同じ形状となっており、同じ作業工程で遊技盤Ｄ１の装着部６０および遊技盤Ｄ２の装着部６０を形成することができるから、遊技盤Ｄ１,Ｄ２の製造作業の効率化が図られる。また、遊技盤Ｄ１に装着される互換防止部材７０および遊技盤Ｄ２に装着される互換防止部材７０は、前述したように、各々の位置決め端部７６および位置決め凸部７７が同じ形状となっており、同じ作業手順で遊技盤Ｄ１に互換防止部材７０を装着できると共に遊技盤Ｄ２に互換防止部材７０を装着できる。すなわち、組立作業者が同じ作業手順で遊技盤Ｄ１および遊技盤Ｄ２に対して互換防止部材７０を装着できるから、作業手順を混同して手間取る等の不都合が生じない。
【００４６】
次いで、第１のパチンコ機Ｐ１では、互換防止部材７０が装着された遊技盤Ｄ１の裏側に、前記図柄表示装置Ｈおよび前述した様々な機器や部品を装着した前記設置部材４０を装着する。この際に、遊技盤Ｄに装着した互換防止部材７０の係合凹部７８に、設置部材４０の延出部４４に設けた前記係合凸部５１を嵌合させる。これにより互換防止部材７０は、図１１および図１２に示すように、遊技盤Ｄ１と設置部材４０とで前後から挟まれた状態で保持される。第２のパチンコ機Ｐ２においても、遊技盤Ｄ２の装着部６０に装着された互換防止部材７０は、図１６に示すように、遊技盤Ｄ２と設置部材４０とで前後から挟まれた状態で保持される。
【００４７】
そして、図９に示す互換防止部材７０を装着した第１のパチンコ機Ｐ１における遊技盤Ｄ１を、該第１のパチンコ機Ｐ１における中枠Ｂ１の遊技盤保持部１４に装着する。すなわち遊技盤Ｄ１は、遊技盤保持部１４に対して前側から臨ませて、先ず該遊技盤Ｄ１の左端部を前記回転保持具１５,１５で保持させることで、該遊技盤Ｄ１に装着した互換防止部材７０の被識別部７９Ａが中枠Ｂの識別部５５Ａに相対する。次いで、回転保持具１５,１５を中心として、遊技盤Ｄ１の右端部を中枠Ｂ１に近接させるように該遊技盤Ｄ１を回転させる。この際に、中枠Ｂ１と遊技盤Ｄ１とが適切な組み合わせであるから、図１および図１３に示すように、該遊技盤Ｄ１の被識別部７９Ａと該中枠Ｂの識別部５５Ａとが整合し、該遊技盤Ｄ１は中枠Ｂ１の遊技盤保持部１４へ適切にセットされる。従って、遊技盤Ｄ１の右端部の上下を前記固定具１６,１６で保持することで該遊技盤Ｄ１が中枠Ｂ１に装着され、中枠Ｂ１と遊技盤Ｄ１とが組み合わされた第１のパチンコ機Ｐ１が構成される。
【００４８】
また、図１５に示す互換防止部材７０を装着した第２のパチンコ機Ｐ２における遊技盤Ｄ２を、該第２のパチンコ機Ｐ２における中枠Ｂ２の遊技盤保持部１４に装着する。すなわち遊技盤Ｄ２は、遊技盤保持部１４に対して前側から臨ませて、先ず該遊技盤Ｄ２の左端部を前記回転保持具１５,１５で保持させることで、該遊技盤Ｄ２に装着した互換防止部材７０の被識別部７９Ｂが中枠Ｂの識別部５５Ｂに相対する。次いで、回転保持具１５,１５を中心として、遊技盤Ｄ２の右端部を中枠Ｂ２に近接させるように該遊技盤Ｄ２を回転させる。この際に、中枠Ｂ２と遊技盤Ｄ２とが適切な組み合わせであるから、図１７に示すように、該遊技盤Ｄ２の被識別部７９Ｂと該中枠Ｂの識別部５５Ｂとが整合し、該遊技盤Ｄ２は中枠Ｂ２の遊技盤保持部１４へ適切にセットされる。従って、遊技盤Ｄ２の右端部の上下を前記固定具１６,１６で保持することで該遊技盤Ｄ２が中枠Ｂ２に装着され、中枠Ｂ２と遊技盤Ｄ２とが組み合わされた第２のパチンコ機Ｐ２が構成される。
【００４９】
一方、図１５に示す互換防止部材７０を装着した第２のパチンコ機Ｐ２における遊技盤Ｄ２を、第１のパチンコ機Ｐ１における中枠Ｂ１の遊技盤保持部１４に装着しようとした場合には、左端部を前記回転保持具１５,１５で保持させた該遊技盤Ｄ２を該回転保持具１５,１５を中心として回転させる際に、該遊技盤Ｄ２の被識別部７９Ｂと中枠Ｂ１の識別部５５Ａとが整合せずに引掛かるので、該遊技盤Ｄ２が該中枠Ｂ１の遊技盤保持部１４へセットできない。従って、装着しようとした第２のパチンコ機Ｐ２用の遊技盤Ｄ２が、第１のパチンコ機Ｐ１を構成するものではなく、種類が異なるものであることが認識され、第２のパチンコ機Ｐ２の該遊技盤Ｄ２が第１のパチンコ機Ｐ１の中枠Ｂ１に装着されて第１のパチンコ機Ｐ１として遊技に供される不都合が好適に回避できる。
【００５０】
同様に、図９に示す互換防止部材７０を装着した第１のパチンコ機Ｐ１における遊技盤Ｄ１を、第２のパチンコ機Ｐ２における中枠Ｂ２の遊技盤保持部１４に装着しようとした場合には、左端部を前記回転保持具１５,１５に保持させた該遊技盤Ｄ１を該回転保持具１５,１５を中心として回転させる際に、該遊技盤Ｄ１の被識別部７９Ａと中枠Ｂ２の識別部５５Ｂとが整合せずに引掛かるので、該遊技盤Ｄ１が該中枠Ｂ２の遊技盤保持部１４へセットできない。従って、装着しようとした第１のパチンコ機Ｐ１用の遊技盤Ｄ１が、第２のパチンコ機Ｐ２を構成するものでなく、種類が異なるものであることが認識され、第１のパチンコ機Ｐ１の該遊技盤Ｄ１が第２のパチンコ機Ｐ２の中枠Ｂ２に装着されて第２のパチンコ機Ｐ２として遊技に供される不都合も好適に回避できる。
【００５１】
なお、各中枠Ｂ１,Ｂ２においては、識別部５５Ａ,５５Ｂが、前記回転保持具１５が配設された左枠部材１２の下部に設けられており、各遊技盤Ｄ１,Ｄ２においては、被識別部７９Ａ,７９Ｂが設けられた互換防止部材７０が、遊技盤Ｄ１,Ｄ２の左下角部に設けられている。このため、中枠Ｂ１に遊技盤Ｄ２を装着する場合および中枠Ｂ２に遊技盤Ｄ１を装着する場合には、該遊技盤Ｄ１,Ｄ２の左端部を回転保持具１５,１５で保持させる際または該遊技盤Ｄ１,Ｄ２を該回転保持具１５,１５を中心として回転させ始める際に、識別部５５Ａ,５５Ｂと被識別部７９Ａ,７９Ｂとが整合しなくなる。従って、遊技盤保持部１４に対する遊技盤Ｄ１,Ｄ２の装着作業の早い段階で種類が異なる遊技盤であることを認識でき、遊技盤Ｄ１,Ｄ２の装着作業を効率よく行なうことができる。
【００５２】
また、固定手段８０における互換防止部材７０に一体的に形成した固定板部８１を、該固定手段８０における固定ネジ８２を遊技盤Ｄの裏面にねじ込んで締結しているので、遊技盤Ｄおよび設置部材４０の延出部４４で挟持された互換防止部材７０は、該設置部材４０を遊技盤Ｄから取り外しても該遊技盤Ｄに脱落することなく固定保持される。これにより、第１のパチンコ機Ｐ１および第２のパチンコ機Ｐ２が遊技店に納入された後に、設置部材４０に配設した遊技部品のメンテナンスや修理等を実施するに際して該設置部材４０を遊技盤Ｄ１,Ｄ２の裏面から取外しても、互換防止部材７０が遊技盤Ｄ１,Ｄ２から脱落する不都合が発生しない。従って、互換防止部材７０の未装着によって第１のパチンコ機Ｐ１の遊技盤Ｄ１が第２のパチンコ機Ｐ２用の中枠Ｂ１の遊技盤保持部１４に装着されることが防止されると共に、第２のパチンコ機Ｐ２の遊技盤Ｄ２が第１のパチンコ機Ｐ１の中枠Ｂ１の遊技盤保持部１４に装着されることも防止され、互換防止部材７０の未装着により互換防止が図られなくなる不都合も回避し得る。
【００５３】
また、実施例の遊技盤の互換防止構造では、形状が異なる被識別部７９Ａ,７９Ｂを形成した各互換防止部材７０が、各々異なる色に着色されると共に遊技盤Ｄとも異なる色に着色されているので、遊技盤Ｄ１,Ｄ２の装着部６０に対する互換防止部材７０の装着作業に際して、種類が異なる互換防止部材７０を遊技盤Ｄ１,Ｄ２に間違って装着することを防止し得る。また、遊技盤Ｄの装着部６０に装着された互換防止部材７０の種類を一目で認識することができ、各々の遊技盤Ｄ１,Ｄ２に適切な互換防止部材７０が装着されているか否かを簡易かつ正確に確認することもできる。
【００５４】
〔変更例〕
本発明に係る遊技盤の互換防止構造は、実施例のものに限られず種々の変更が可能である。
（１）中枠Ｂ(Ｂ１,Ｂ２)に設けた識別部５５(５５Ａ,５５Ｂ)および遊技盤Ｄ(Ｄ１,Ｄ２)に設けた被識別部７９(７９Ａ,７９Ｂ)の形状、形態は、図４および図９に示した形状、形態や、図１４および図１５に示した形状、形態に限定されず、種別毎に異なる形状、形態であれば様々に変更可能である。
（２）識別部５５(５５Ａ,５５Ｂ)を設ける部位は、中枠Ｂの遊技盤保持部１４における左下隅部に限らず、該遊技盤保持部１４の左上隅部、右上隅部または右下隅部であってもよい。また、遊技盤保持部１４における下縁部分の中間部分、上縁部分の中間部分、左縁部分の中間部分または右縁部分の中間部分であってもよい。また、識別部５５(５５Ａ,５５Ｂ)の配設数は、１つに限定されず複数設けるようにしてもよい。なお、被識別部７９(７９Ａ,７９Ｂ)を設ける位置は、識別部５５(５５Ａ,５５Ｂ)を設ける位置に合わせて、遊技盤Ｄ(Ｄ１,Ｄ２)の左上角部、右上角部または右下角部や、下縁中間部分、上縁中間部分、左縁中間部分または右縁中間部分に設けられる。
（３）前記識別部５５(５５Ａ,５５Ｂ)は、前記中枠Ｂ(Ｂ１,Ｂ２)とは別体に構成した識別部材に設けるようにして、この識別部材を、別成形された中枠Ｂ(Ｂ１,Ｂ２)に対して装着固定する構成としてもよい。この場合には、中枠Ｂ(Ｂ１,Ｂ２)における遊技盤保持部１４の左下隅部に臨む位置に設置部を設け、この設置部に対して、識別部材をネジ等の固定手段により固定して、識別部５５を該遊技盤保持部１４に臨ませるようにしてもよい。このように、識別部５５(５５Ａ,５５Ｂ)を形成した識別部材を中枠Ｂと別体とすれば、該中枠Ｂ(Ｂ１,Ｂ２)を種別毎に共通化することが可能である。
（４）実施例では、固定手段８０における固定部材８２として、遊技盤Ｄ(Ｄ１,Ｄ２)のネジ締結孔６４にねじ込まれる固定ネジを例示したが、該固定部材８２はネジに限定されず、遊技盤Ｄ(Ｄ１,Ｄ２)に係止されるピンや金具等であってもよい。
（５）実施例では、互換防止部材７０に設けた位置決め部７７を、該互換防止部材７０から遊技盤Ｄ(Ｄ１,Ｄ２)に向け突出した位置決め凸部とすると共に、装着部６６に設けた被位置決め部６３を、前記位置決め部７７が相対して嵌合する位置決め凹部としたが、位置決め部７７を凹部とすると共に、被位置決め部６３を、装着部６６から互換防止部材７０に向け突出して位置決め部７７に嵌合する凸部としてもよい。
（６）実施例では、互換防止部材７０に設けた被係合部７８を係合凹部とすると共に、設置部材４０の延出部４４に設けた係合部５１を、該被係合部７８に係脱可能に係合する係合凸部としたが、被係合部７８を。延出部４４に向け突出する凸部とすると共に、係合部５１を、該被係合部７８が係合可能な凹部としてもよい。
（７）遊技盤Ｄ(Ｄ１,Ｄ２)の裏面に設けられるネジ締結孔６４の形成位置と、互換防止部材７０に設けられた固定板部８１に形成されるネジ挿通孔８３の形成位置とを、種別毎に変更するようにしてもよい。このようにネジ締結孔６４とネジ挿通孔８３の形成位置を種別毎に変更すれば、例えば当該遊技盤Ｄ(Ｄ１,Ｄ２)の装着部６０に、種類が異なる別の遊技盤Ｄ(Ｄ２,Ｄ１)に装着される互換防止部材７０を装着しようとした場合に、ネジ締結孔６４とネジ挿通孔８３とが整合しないので、当該互換防止部材７０が適合したものでないことを装着部６０に装着する前に認識し得るようにできる。
（８）遊技盤Ｄ(Ｄ１,Ｄ２)の装着部６０に設けられる被位置決め部６３の形成位置や形状と、該装着部６０に装着される互換防止部材７０に設けられる位置決め部７７の形成位置や形状とを、種別毎に変更するようにしてもよい。このように被位置決め部６３の形成位置や形状と位置決め部７７の形成位置や形状を種別毎に変更すれば、例えば当該遊技盤Ｄ(Ｄ１,Ｄ２)の装着部６０に、種類が異なる別の遊技盤Ｄ(Ｄ１,Ｄ２)に装着される互換防止部材７０を装着しようとした場合に、被位置決め部６３と位置決め部７７とが整合しないので、当該互換防止部材７０が適合したものでないことを装着部６０に装着する前に認識し得るようにできる。
（９）遊技盤Ｄ(Ｄ１,Ｄ２)の装着部６０に設けられる位置決め縁部６２の形状と、該装着部６０に装着される互換防止部材７０に設けられる位置決め端部７６の形状とを、種別毎に変更するようにしてもよい。このように位置決め縁部６２の形状と位置決め端部７６の形状を種別毎に変更すれば、例えば当該遊技盤Ｄ(Ｄ１,Ｄ２)の装着部６０に、種類が異なる別の遊技盤Ｄ(Ｄ２,Ｄ１)に装着される互換防止部材７０を装着しようとした場合に、位置決め縁部６２と位置決め端部７６とが整合しないので、当該互換防止部材７０が適合したものでないことを装着部６０に装着する前に認識し得るようにできる。
（１０）互換防止部材７０に設けられる被係合部７８の形成位置や形状と、設置部材４０の延出部４４に設けられる係合部５１の形成位置や形状とを、種別毎に変更するようにしてもよい。このように被係合部７８の形成位置や形状と係合部５１の形成位置や形状を種別毎に変更すれば、例えば当該遊技盤Ｄ(Ｄ１,Ｄ２)の裏面に、種類が異なる遊技盤Ｄ(Ｄ２,Ｄ１)に配設される設置部材４０を配設しようとした場合に、被係合部７８と係合部５１とが整合しないので、当該設置部材４０が適合したものでないことを遊技盤Ｄ(Ｄ１,Ｄ２)に配設する前に認識し得るようにできる。
（１１）実施例では、遊技盤の装着部に対して該遊技盤の裏側から互換防止部材を装着する形態を示したが、これに限らず、遊技盤の前側から互換防止部材を装着するよう構成することも可能である。
（１２）実施例では、遊技機としてのパチンコ機に配設される遊技盤の互換防止構造を示したが、これに限られるものではなく、アレンジボール機等であってもよい。
【符号の説明】
【００５５】
１４ 遊技盤保持部，４０ 設置部材，４４ 延出部，５１ 係合凸部(係合部)
５５ 識別部，６３ 位置決め凹部(被位置決め部)，７９ 被識別部，７０ 互換防止部材
７７ 位置決め凸部(位置決め部)，７８ 係合凹部(被係合部)，８０ 固定手段
８１ 固定板部，８２ 固定ネジ(固定部材)，Ｂ 中枠(枠部材)，Ｄ 遊技盤
【図１】
0005837334.tif 000002
【図２】
0005837334.tif 000003
【図３】
0005837334.tif 000004
【図４】
0005837334.tif 000005
【図５】
0005837334.tif 000006
【図６】
0005837334.tif 000007
【図７】
0005837334.tif 000008
【図８】
0005837334.tif 000009
【図９】
0005837334.tif 000010
【図１０】
0005837334.tif 000011
【図１１】
0005837334.tif 000012
【図１２】
0005837334.tif 000013
【図１３】
0005837334.tif 000014
【図１４】
0005837334.tif 000015
【図１５】
0005837334.tif 000016
【図１６】
0005837334.tif 000017
【図１７】
0005837334.tif 000018